(57)【特許請求の範囲】
【請求項１】
一面側が開放された凹部空間を有する断面コ字状フレームにより形成されるポーチ柱を備え、前記断面コ字状フレームの前記凹部空間内を含む全周囲に前記断面コ字状フレームの形状に沿って防水シートを貼り付けると共に、前記断面コ字状フレームの前記凹部空間を除いた周囲にサイディングを取り付けたこと、を特徴とするポーチ柱ユニット。
【請求項２】
一の壁パネルの両側部に同一面側に突出する壁パネルを接合一体化して、一面側が開放された凹部空間を有する断面コ字状パネルにより形成されるポーチ柱を備え、前記断面コ字状パネルの前記凹部空間内を含む全周囲に前記断面コ字状パネルの形状に沿って防水シートを貼り付けると共に、前記断面コ字状パネルの前記凹部空間を除いた周囲にサイディングを取り付けたこと、を特徴とするポーチ柱ユニット。
【請求項３】
前記断面コ字状フレームの前記凹部空間への排水管の配管後に前記凹部空間の開放部にサイディングを取り付けること、を特徴とする請求項１記載のポーチ柱ユニット。
【請求項４】
前記断面コ字状パネルの前記凹部空間への排水管の配管後に前記凹部空間の開放部にサイディングを取り付けること、を特徴とする請求項２記載のポーチ柱ユニット。
【請求項５】
前記断面コ字状フレームの下端部に、基礎上に固定される土台が一体化されていること、を特徴とする請求項１または３記載のポーチ柱ユニット。
【請求項６】
前記断面コ字状パネルの下端部に、基礎上に固定される土台が一体化されていること、を特徴とする請求項２または４記載のポーチ柱ユニット。
【請求項７】
前記断面コ字状フレームの下端部の周囲に水切り部材が一体化されていること、を特徴とする請求項１、３または５記載のポーチ柱ユニット。
【請求項８】
前記断面コ字状パネルの下端部の周囲に水切り部材が一体化されていること、を特徴とする請求項２、４、または６記載のポーチ柱ユニット。
【発明の詳細な説明】
【０００１】
【発明の属する技術分野】
本発明は、一面側が開放された凹部空間を有する断面コ字状パネル（または断面コ字状フレーム）によるポーチ柱ユニットに関するものである。
【０００２】
【背景の技術】
住宅の工業化に伴って、住宅の屋根や壁や床を予めパネルとして工場で製造し、このようなパネルを、建築現場において組み立てて行くことにより、住宅の施工を行うようにしたパネル工法が近年盛んとなっている。
そして、工業化をさらに進めるために、複数のパネルを予め工場で組み立ててサブアッシー状態としておき、このような複数のパネルのサブアッシー品を建築現場で組み立てて行って、現場での工期を一層短縮するようにした技術もさらに盛んになってきている。
さらに、工場において、木質系の壁パネルの外壁面に予めサイディングを取り付けて製造し、建築現場で組み立てることにより、現場工期をより一層短縮する技術も行われている。
【０００３】
そして、建物の躯体から外部に突出した１階屋根または小屋根の軒先側を、地面に設けられたベースコンクリートの上に起設したポーチ柱により支持する構造にして、ポーチを構成するようにしたものがある。
このようなポーチ柱を壁パネルによる形成する場合、従来は、４枚の壁パネルをボックス状に組み合わせて接合一体化することでポーチ柱を構成し、このようにして壁パネルをボックス状に組み合わせて形成したポーチ柱を基礎上に立ててから、そのポーチ柱の内部空間に、ポーチ屋根からの排水のための排水管を配管していた。
【０００４】
【発明が解決しようとする課題】
しかし、従来のような壁パネルをボックス状に組み合わせて形成したポーチ柱の場合、その内部空間は、排水管を配管するため、湿気に晒される環境となり、これが寿命に影響を及ぼすこととなってしまう。
また、ボックス状のポーチ柱であるため、例えば、基礎上にアンカーボルトを介してポーチ柱を固定する際、ポーチ柱の４面を形成する壁パネルの下部に締付操作穴を開けて、この締付操作穴からナットをアンカーボルトに締め込んだ後、その締付操作穴を閉じる仕上げ加工が必要となり、これが面倒な作業となっていた。
【０００５】
そこで、本発明の目的は、ポーチ柱の内部空間に対する防水が確実に行えて、長寿命化が図れると共に、基礎上への固定も容易に行えて、作業性も向上できるようにしたポーチ柱ユニットを提供することにある。
【０００６】
【課題を解決するための手段】
以上の課題を解決すべく請求項１記載の発明は、例えば、図１に示すように、一面側が開放された凹部空間７を有する断面コ字状フレーム２により形成されるポーチ柱を備え、前記断面コ字状フレーム２の前記凹部空間７を含む全周囲に前記断面コ字状フレーム２の形状に沿って防水シート８を貼り付けると共に、前記断面コ字状フレーム２の前記凹部空間７を除いた周囲にサイディング１４，１５，１５を取り付けてなるポーチ柱ユニット１の構成、を特徴としている。
このように、断面コ字状フレーム２の前記凹部空間７を含む全周囲に前記断面コ字状フレーム２の形状に沿って防水シート８を貼り付けることを特徴とするポーチ柱ユニット１なので、内部空間７に対する防水が確実に行え、しかも排水管の配管工事の前に、ポーチ柱の外装工事がほとんど終わるため、現場工期が短くて済む。また、その一面側が開放された凹部空間７において、基礎上へのポーチ柱ユニット１の固定が行える。
従って、内部空間７に対する防水が確実に行えることから、ポーチ柱の長寿命化が図れるようになり、また、ポーチ柱の外装工事にかかる現場工期を短縮でき、基礎上へのポーチ柱の固定も容易に行えることから、作業性の向上も図れるようになる。
【０００７】
また、請求項２記載の発明は、例えば、図１に示すように、一の壁パネル３の両側部に同一面側に突出する、例えば、角柱５，５，５，６，６による壁パネルを接合一体化して、一面側が開放された凹部空間７を有する断面コ字状パネル２により形成されるポーチ柱を備え、前記断面コ字状パネル２の前記凹部空間７を含む全周囲に前記断面コ字状パネル２の形状に沿って防水シート８を貼り付けると共に、前記断面コ字状パネル２の前記凹部空間７を除いた周囲にサイディング１４，１５，１５を取り付けてなるポーチ柱ユニット１の構成、を特徴としている。
このように、断面コ字状パネル２の凹部空間７を含む全周囲に前記断面コ字状パネル２の形状に沿って防水シート８を貼り付けることを特徴とするポーチ柱ユニット１なので、内部空間７に対する防水が確実に行え、しかも排水管の配管工事の前に、ポーチ柱の外装工事がほとんど終わるため、現場工期が短くて済む。また、その一面側が開放された凹部空間７において、基礎上へのポーチ柱ユニット１の固定が行える。
従って、内部空間７に対する防水が確実に行えることから、ポーチ柱の長寿命化が図れるようになり、また、ポーチ柱の外装工事にかかる現場工期を短縮でき、基礎上へのポーチ柱の固定も容易に行えることから、作業性の向上も図れるようになる。
【０００８】
そして、請求項３記載の発明は、請求項１記載のポーチ柱ユニット１であって、例えば、図１に示すように、前記断面コ字状フレーム２の前記凹部空間７への排水管の配管後に前記凹部空間７の開放部にサイディング１６を取り付ける構成、を特徴としている。
このように、断面コ字状フレーム２の前記凹部空間７へ排水管を配管後、前記開放部にサイディング１６を取り付けるだけで、ポーチ柱の外装工事を簡単に終了できるため、現場工期が短くて済む。
【０００９】
また、請求項４記載の発明は、請求項２記載のポーチ柱ユニット１であって、例えば、図１に示すように、前記断面コ字状パネル２の前記凹部空間７への排水管の配管後に前記凹部空間７の開放部にサイディング１６を取り付ける構成、を特徴としている。
このように、断面コ字状パネル２の前記凹部空間７へ排水管を配管後、前記開放部にサイディング１６を取り付けるだけで、ポーチ柱の外装工事を簡単に終了できるため、現場工期が短くて済む。
【００１０】
なお、請求項５記載の発明は、請求項１または３記載のポーチ柱ユニット１であって、例えば、図２に示すように、前記断面コ字状フレーム２の下端部に、基礎１０上に固定される、例えば、角材による土台９が一体化されている構成、を特徴としている。
このように、断面コ字状フレーム２の下端部に土台９が一体化されたポーチ柱ユニット１なので、基礎１０上に土台９を固定してから、その土台９上にポーチ柱を固定する面倒な作業を必要とせず、基礎１０上にポーチ柱ユニット１を直接立てて固定すればよく、現場工期を短縮できる。
また、請求項６記載の発明は、請求項２または４記載のポーチ柱ユニット１であって、例えば、図２に示すように、前記断面コ字状パネル２の下端部に、基礎１０上に固定される、例えば、角材による土台９が一体化されている構成、を特徴としている。
このように、断面コ字状パネル２の下端部に土台９が一体化されたポーチ柱ユニット１なので、基礎１０上に土台９を固定してから、その土台９上にポーチ柱を固定する面倒な作業を必要とせず、基礎１０上にポーチ柱ユニット１を直接立てて固定すればよく、現場工期を短縮できる。
【００１１】
また、請求項７記載の発明は、請求項１、３または５記載のポーチ柱ユニット１であって、例えば、図２に示すように、前記断面コ字状フレーム２の下端部の周囲に、例えば、金属板による水切り部材１１が一体化されている構成、を特徴としている。
このように、断面コ字状フレーム２の下端部の周囲に水切り部材１１が一体化されたポーチ柱ユニット１なので、水切り部材１１を後付する手間を廃して、現場工期を短縮できる。
また、請求項８記載の発明は、請求項２、４または６記載のポーチ柱ユニット１であって、例えば、図２に示すように、前記断面コ字状パネル２の下端部の周囲に、例えば、金属板による水切り部材１１が一体化されている構成、を特徴としている。
このように、断面コ字状パネル２の下端部の周囲に水切り部材１１が一体化されたポーチ柱ユニット１なので、水切り部材１１を後付する手間を廃して、現場工期を短縮できる。
【００１２】
【発明の実施の形態】
以下に、本発明に係るポーチ柱ユニットの実施の形態例を図１および図２に基づいて説明する。
先ず、図１は本発明を適用した一例としてのポーチ柱ユニットの構成を示す横断平面図で、図２はそのポーチ柱ユニットの下端部の構成と基礎との関係を示す縦断側面図である。
【００１３】
このポーチ柱ユニット１は、図１に示したように、断面コ字状パネル（または断面コ字状フレーム、以下同じにつき省略）２により構成されるものである。
即ち、断面コ字状パネル２は、表裏の面材３ａ，３ａとその間の両側部の縦芯材３ｂ，３ｂと上端および下端間の横芯材３ｃ（図２参照）等からなる壁パネル３の両端部に、半割材によるコーナー結合材４，４をそれぞれ介して、壁パネル３の厚さと同じ幅の角柱５，５、角柱５および半割材による角柱６，６を、それぞれ接合一体化することによって、一面側に開放された凹部空間７を上下方向に沿って形成してなる。
そして、このような断面コ字状パネル２の周囲には、その凹部空間７も含んで全周に防水シート８を貼り付け、図示例では、凹部空間７の壁パネル３の面材３ａの表面において、防水シート８の両端部８ａ，８ｂを互いに重ね合わせている。
【００１４】
また、断面コ字状パネル２の下端部には、図２に示したように、壁パネル３の厚さと同じ幅の角材による土台９が接合一体化して備えられている。
即ち、土台９は、基礎１０上に沿って固定されるもので、断面コ字状パネル２を構成する壁パネル３の下端に沿って接合一体化されると共に、その両端部の角柱５，５と角柱５，６，６とに沿ってもそれぞれ接合一体化されている。
さらに、この土台９の外側面に沿って、金属板の折り曲げ成形品による水切り部材１１が取り付けられている。
つまり、図示例では、土台９の外側面に貼られた防水シート８のさらに外側面に接着テープ１２により水切り部材１１が固定されており、この水切り部材１１は、図示のように下部が外側に突出状態となっている。
【００１５】
そして、以上の断面コ字状パネル２の凹部空間７を除いた周囲には、図１に示したように、胴縁１３，１３，１３，１３，１３，１３，１３，１３を介して、サイディング１４，１５，１５が取り付けられている。
即ち、断面コ字状パネル２の周囲において、図示左側面を形成する壁パネル３の両側部および各コーナー結合材４，４にかけて板材による胴縁１３，１３が、図示上側面を形成するコーナー結合材４と図示右側の角柱５にも胴縁１３，１３が、さらに、図示下側面を形成するコーナー結合材４と図示右側の角柱６，６にかけても胴縁１３，１３が、また、図示右側面を形成する図示上側の角柱５と図示下側の角柱６にも胴縁１３，１３が、それぞれ釘打ちにより固定されている。
【００１６】
さらに、以上の断面コ字状パネル２の周囲には、その図示左側面の胴縁１３，１３に平板状のサイディング１４が、図示上側面の胴縁１３，１３および図示左右両側面の図示上側の胴縁１３，１３に断面コ字状のサイディング１５が、図示下側面の胴縁１３，１３および図示左右両側面の図示下側の胴縁１３，１３にも断面コ字状のサイディング１５が、それぞれ釘打ちにより固定されている。
なお、各サイディング１４，１５については、それぞれの上下端部が実矧ぎにより接続されるようになっている。
以上のポーチ柱ユニット１は、一貫して工場生産される。
【００１７】
以上のように、断面コ字状パネル２の凹部空間７の開放部を除いた周囲にサイディング１４，１５，１５を備えたポーチ柱ユニット１は、図２に示すように、下端部の土台９を基礎１０上に載せて、凹部空間７の内部において、基礎１０上から土台９を貫通して上方に突出する図示しないアンカーボルトに対し、例えば、壁パネル３の面材３ａの下端に開けた図示しない締付操作穴から図示しないナットを締め付けると共に、角柱５および角柱６の下端に掘った図示しない締付操作凹部から図示しないナットを締め付けることによって、基礎１０上に立てられる。
そして、こうして基礎１０上に立てたポーチ柱ユニット１には、その断面コ字状パネル２の凹部空間７に図示しない排水管を配管してから、図示右側面の胴縁１３，１３に、図１に仮想線で示したように、平板状のサイディング１６を当てて釘打ちまたはビス止めにより固定する。
ここで、サイディング１６をビス止めにより胴縁１３，１３に固定しておけば、配水管のメンテナンス時において、サイディング１６を簡単に取り外せるので、有効である。
【００１８】
なお、以上の実施の形態例においては、壁パネルの両側部に角柱を接合一体化してなるポーチ柱ユニットとしたが、本発明はこれに限定されるものではなく、表裏の面材およびその間の芯材からなる壁パネルの両側部に、同様の壁パネルを接合一体化してなるポーチ柱ユニットであったり、あるいは、パネルに限らないで一体化された断面コ字状フレームであってもよい。
また、ポーチ柱ユニットの諸寸法等も任意であり、その他、具体的な細部構造等についても適宜に変更可能であることは勿論である。
【００１９】
【発明の効果】
以上のように、請求項１記載の発明に係るポーチ柱ユニットによれば、断面コ字状フレームの凹部空間内を含む全周囲に前記断面コ字状フレームの形状に沿って防水シートを貼り付けるので、前記凹部空間の防水が確実に行える。また、排水管の配管工事の前に、ポーチ柱の外装工事がほとんど終わるため、現場工期が短くて済む。さらに、その一面側が開放された凹部空間において、基礎上へのポーチ柱ユニットの固定作業を行うことができる。
従って、内部空間に対する防水を確実に行って、ポーチ柱の長寿命化を達成することができ、かつ、ポーチ柱の外装工事にかかる現場工期を短縮でき、基礎上へのポーチ柱の固定も容易に行って、作業性の向上も達成することができる。
【００２０】
また、請求項２記載の発明に係るポーチ柱ユニットによれば、断面コ字状パネルの凹部空間内を含む全周囲に前記断面コ字状パネルの形状に沿って防水シートを貼り付けるので、前記凹部空間の防水が確実に行える。また、排水管の配管工事の前に、ポーチ柱の外装工事がほとんど終わるため、現場工期が短くて済む。さらに、その一面側が開放された凹部空間において、基礎上へのポーチ柱ユニットの固定作業を行うことができる。
従って、内部空間に対する防水を確実に行って、ポーチ柱の長寿命化を達成することができ、かつ、ポーチ柱の外装工事にかかる現場工期を短縮でき、基礎上へのポーチ柱の固定も容易に行って、作業性の向上も達成することができる。
【００２１】
そして、請求項３記載の発明に係るポーチ柱ユニットによれば、請求項１記載の発明により得られる効果に加えて、断面コ字状フレームの凹部空間に排水管を配管後、その凹部空間の開放部にサイディングを取り付けるだけでよく、従って、ポーチ柱の外装を簡単に終了できる。
【００２２】
また、請求項４記載の発明に係るポーチ柱ユニットによれば、請求項２記載の発明により得られる効果に加えて、断面コ字状パネルの凹部空間に排水管を配管後、その凹部空間の開放部にサイディングを取り付けるだけでよく、従って、ポーチ柱の外装を簡単に終了できる。
【００２３】
なお、請求項５記載の発明に係るポーチ柱ユニットによれば、請求項１または３記載の発明により得られる効果に加えて、断面コ字状フレームの下端部に土台が一体化されているため、基礎上にポーチ柱ユニットを直接立てて固定すればよく、従って、現場工期を短縮することができる。
また、請求項６記載の発明に係るポーチ柱ユニットによれば、請求項２または４記載の発明により得られる効果に加えて、断面コ字状パネルの下端部に土台が一体化されているため、基礎上にポーチ柱ユニットを直接立てて固定すればよく、従って、現場工期を短縮することができる。
【００２４】
請求項７記載の発明に係るポーチ柱ユニットによれば、請求項１、３または５記載の発明により得られる効果に加えて、断面コ字状フレームの下端部の周囲に水切り部材が一体化されているため、水切り部材を後付する手間を廃して、現場工期を短縮することができる。
また、請求項８記載の発明に係るポーチ柱ユニットによれば、請求項２、４または６記載の発明により得られる効果に加えて、断面コ字状パネルの下端部の周囲に水切り部材が一体化されているため、水切り部材を後付する手間を廃して、現場工期を短縮することができる。
【図面の簡単な説明】
【図１】本発明を適用した一例としてのポーチ柱ユニットの構成を示す横断平面図である。
【図２】図１のポーチ柱ユニットの下端部の構成と基礎との関係を示す縦断側面図である。
【符号の説明】
１  ポーチ柱ユニット
２  断面コ字状パネル（断面コ字状フレーム）
３  壁パネル
４  コーナー結合材
５，６  角柱
７  凹部空間
８  防水シート
９  土台
１０  基礎
１１  水切り部材
１２  接着テープ
１３  胴縁
１４，１５，１６  サイディング
【図１】
0003583207.tif 000002
【図２】
0003583207.tif 000003